(57)【要約】【課題】新たな部材を追加することなく水受け皿へ確実に凝縮水を誘導する空気調和機を提供すること。【解決手段】本発明の空気調和機は、逆Ｖ字形状の室内熱交換器と、室内熱交換器の前方に設けられ塵埃を捕集するフィルタを備えたフィルタ枠と、室内熱交換器から滴下する凝縮水を受ける水受け部とを少なくとも備えた空気調和機において、フィルタ枠の一部から室内熱交換器に向かって延伸する水受け誘導部を備えたことにより、新たな部材を設けることなく凝縮水を水受け誘導部で受けて、水受け部へ凝縮水を誘導することができるので、組み立て時の製品ごとのばらつきを抑えることができ、確実に水受け部へ凝縮水を誘導することができ、さらに、新たな部材を設けることがないので低コストを実現することができる。【選択図】図１
2011191022.tif 000002
【特許請求の範囲】
【請求項１】
逆Ｖ字形状の室内熱交換器と、前記室内熱交換器の前方に設けられ塵埃を捕集するフィルタを備えたフィルタ枠と、前記室内熱交換器から滴下する凝縮水を受ける水受け部とを少なくとも備えた空気調和機において、前記フィルタ枠の一部から前記室内熱交換器に向かって延伸する水受け誘導部を備えたことを特徴とする空気調和機。
【請求項２】
前記室内熱交換器は前方に出っ張るようにＲ形状を有しており、前記水受け誘導部は、前記室内熱交換器の最前部よりもさらに前記室内熱交換器側へ延伸することを特徴とする請求項１に記載の空気調和機。
【発明の詳細な説明】
【技術分野】
【０００１】
本発明は、空気調和機の室内ユニットの凝縮水処理に関するものである。
【背景技術】
【０００２】
従来の空気調和機の室内ユニット１における凝縮水処理について、図６、図７を参照しながら説明する。
【０００３】
図７は従来の空気調和機の室内ユニットの断面図、図８は要部斜視図である。図７、図８において、室内ユニット１０１の外郭および風回路の一部を構成する台枠１０１ｂを備えており、台枠１０１ｂに室内側熱交換器２、室内ファン１０３、吹出し部１０４ｂ、凝縮水を処理するための水受け皿１０４ａを有する吹出しグリル１０４が設けられている。
【０００４】
また台枠１０１ｂには、吸い込み部１０５ａと吹き出し部１０５ｂを有し外郭の一部を構成する前面枠１０５が取り付けられ、室内ユニット１本体の外郭を構成している。また、図８に示すように、室内側熱交換器２には冷媒配管１０６が接続され、冷媒配管１０６の一部が断熱材などの被覆部材１０６ａで覆われている。
【０００５】
そして冷媒配管１０６の上部には配管１０７から凝縮水が滴下する恐れがあるために、水受け部８が設けられており、水受け部８を設けることによって、凝縮水を水受け皿１０４ａに誘導して、台枠１０１ｂの背面側に凝縮水が回り込むのを防止している（例えば、特許文献１参照）。
【先行技術文献】
【特許文献】
【０００６】
【特許文献１】特開平４−１６１７３０号公報
【発明の概要】
【発明が解決しようとする課題】
【０００７】
しかしながら、前記従来の空気調和機の構成では、水受け部１０８等の部品を新たに取り付けて凝縮水の水処理を行う必要があり、製造コストや配置場所に関する制約があるため、取り付け位置を安定させることは非常に困難となってしまい、水受け部８で受けきれない凝縮水が室内に漏れてしまうという課題を有していた。
【０００８】
本発明は、前記従来の課題を解決するもので、新たな部材を追加することなく水受け皿へ確実に凝縮水を誘導する空気調和機を提供することを目的とする。
【課題を解決するための手段】
【０００９】
前記従来の課題を解決するために、本発明の空気調和機は、逆Ｖ字形状の室内熱交換器と、室内熱交換器の前方に設けられ塵埃を捕集するフィルタを備えたフィルタ枠と、室内熱交換器から滴下する凝縮水を受ける水受け部とを少なくとも備えた空気調和機において、フィルタ枠の一部から室内熱交換器に向かって延伸する水受け誘導部を備えたことにより、新たな部材を設けることなく凝縮水を水受け誘導部で受けて、水受け部へ凝縮水を誘導することができるので、組み立て時の製品ごとのばらつきを抑えることができ、確実に水受け部へ凝縮水を誘導することができ、さらに、新たな部材を設けることがないので低コストを実現することができる。
【発明の効果】
【００１０】
本発明は、新たな部材を追加することなく水受け皿へ確実に凝縮水を誘導する空気調和機を提供することができる。
【図面の簡単な説明】
【００１１】
【図１】本発明の実施の形態１における空気調和機の断面図
【図２】同実施の形態１における室内熱交換器の斜視図
【図３】同実施の形態１における要部断面斜視図
【図４】同実施の形態１における要部断面図
【図５】同実施の形態１におけるフィルタ装置の斜視図
【図６】同実施の形態１における吸引ノズルの斜視図
【図７】従来の空気調和機の断面図
【図８】従来の空気調和機の要部斜視図
【発明を実施するための形態】
【００１２】
第１の発明の空気調和機は、逆Ｖ字形状の室内熱交換器と、室内熱交換器の前方に設けられ塵埃を捕集するフィルタを備えたフィルタ枠と、室内熱交換器から滴下する凝縮水を受ける水受け部とを少なくとも備えた空気調和機において、フィルタ枠の一部から室内熱交換器に向かって延伸する水受け誘導部を備えたことにより、新たな部材を設けることなく凝縮水を水受け誘導部で受けて、水受け部へ凝縮水を誘導することができるので、組み立て時の製品ごとのばらつきを抑えることができ、確実に水受け部へ凝縮水を誘導することができ、さらに、新たな部材を設けることがないので低コストを実現することができる。
【００１３】
第２の発明の空気調和機は、特に第１の発明において、室内熱交換器は前方に出っ張るようにＲ形状を有しており、水受け誘導部は、室内熱交換器の最前部よりもさらに室内熱交換器側へ延伸することにより、室内熱交換器の最前部と、その上方に設けた水受け誘導部とがオーバーラップすることになり、水受け誘導部で受けた凝縮水が、さらに水受け誘導部から滴下する際に、必ず室内熱交換器に接触することになり、確実に水受け部に凝縮水を誘導することができる。
【００１４】
以下、本発明の実施の形態について、図面を参照しながら説明する。なお、この実施の形態によって本発明が限定されるものではない。
【００１５】
（実施の形態１）
図１は、本実施の形態１における空気調和機の室内ユニットの断面図である。図１において、室内ユニット１の内部には、逆Ｖ字形状の室内熱交換器２が備えられており、室内熱交換器２の前側はブーメラン形状となっており、前方に出っ張るＲ形状を有している。そして筐体の一部を構成する台枠４に室内熱交換器２が組みつけられており、室内熱交換器２を覆うように、室内熱交換器２の前方にはフィルタ枠１１が台枠４に取り付けられている。また、フィルタ枠１１には室内熱交換器２へ供給される空気の塵埃を除去するためのフィルタ１２が設けられている。また、室内熱交換器２の前側の熱交換部分から滴下する凝縮水を受けて外部に排水する水受け部５を備えている。
【００１６】
また、室内熱交換器２の内方側に室内へ空気を吹き出すためのクロスフローファン７が設けられており、吹出し口８を通って室内へ空気が吹出される。
【００１７】
図２は、本実施の形態１における室内熱交換器の斜視図であり、図３は、要部斜視図である。図２、図３に示すように、室内熱交換器２の風上側に冷媒を均等に分配する配管部３が設けられており、配管部３から凝縮水が滴下する可能性がある。
【００１８】
そこで、本実施の形態では、フィルタ枠１１の一部から室内熱交換器２側へ延伸する水受け誘導部６が設けられている。水受け誘導部６はフィルタ枠１１と一体的に構成されており、別部品を設ける構成ではない。そのため生産コストを低く抑えることができる。
【００１９】
図４は室内熱交換器の最前部および水受け誘導部６の関係図である。室内熱交換器の最前部をＡＡ点線図で示し、水受け誘導部６の端部をＢＢ点線図で示している。図４に示すように、室内熱交換器２の最前部よりも水受け誘導部６はさらに室内熱交換器２側へ延伸しているため、室内熱交換器２と水受け誘導部６とが一部オーバーラップする構成となっている。そのため、水受け誘導部６で受けた凝縮水が滴下するときに、確実に室内熱交換器２へ滴下するように構成することができ、ひいては、水受け部５へ確実に凝縮水を誘導することができる。
【００２０】
また、水受け誘導部６は２段に傾斜しており、まずフィルタ枠１１から内方かつ下方へ延伸するように傾斜しており、さらに図４において手前側から奥側へと傾斜している。その結果、確実に凝縮水を下方へ滴下することができる。なお、本実施の形態では手前側から奥側へと傾斜しているが、奥側から手前側へ傾斜しても問題はない。
【００２１】
このように、構成することで室内熱交換器２と水受け誘導部６との僅かな隙間に凝縮水が滴下しても必ず室内熱交換器２に凝縮水が滴下し、水受け誘導部６に凝縮水が滴下しても必ず室内熱交換器２へ凝縮水が滴下するので、確実に凝縮水の処理を行うことができる。
【００２２】
図５は、本実施の形態における空気調和機のフィルタ装置の斜視図である。図５に示すように、フィルタ１２は、フィルタ枠１１に支持固定されるように取り付けられており、フィルタ１２の前方には表面に沿って移動可能な吸引ノズル１３が設けられている。吸引ノズル１３はフィルタ枠１１の上下端に設置されたガイドレール１４により、フィルタ１２と極めて狭い間隙を保って円滑に左右に移動することができる。
【００２３】
そしてフィルタ１２上に付着した塵埃は、吸引ノズル１３により吸引される。さらに、吸引ノズル１３には吸引ダクト１５が連結され、さらに吸引ダクト１５は吸引装置１６に連結される。吸引ダクト１５は吸引ノズル１３の移動に差し支えないように折り曲げ可能なダクトで形成される。
【００２４】
また、図６は吸引ノズルの構成図である。図６に示すように、吸引ノズル１３にはフィルム１７が設けられ、一方、フィルム１７には吸引孔１８があり、吸引孔１８の近傍には塵埃除去部１９が設けられており、ステッピングモーター２０によってフィルム１７は上下方向のいずれにも自在に駆動できるようになっている
このような構成により、自動的にフィルタ１２で捕集した塵埃を除去することができる。
【産業上の利用可能性】
【００２５】
本発明の空気調和機は、本体内部で発生した凝縮水が室内ユニットから漏れ出る事が無いので、冷媒が通る熱交換器を有する各種冷蔵庫、冷凍庫等にも広く適用することができ、フィルタに付着した塵埃を自動で確実に吸引清掃することができるので、空気調和機にとどまらず、空気清浄機等のフィルタを有する製品へも適用することができる。
【符号の説明】
【００２６】
１  室内ユニット
２  室内熱交換器
３  配管部
４  台枠
５  水受け部
６  水受け誘導部
１１  フィルタ枠
１２  フィルタ
１３  吸入ノズル
１４  ガイドレール
１５  吸引ダクト
１６  吸引装置
１７  フィルム
１８  吸引口
１９  塵埃除去部
２０  ステッピングモーター
【図１】
2011191022.tif 000003
【図２】
2011191022.tif 000004
【図３】
2011191022.tif 000005
【図４】
2011191022.tif 000006
【図５】
2011191022.tif 000007
【図６】
2011191022.tif 000008
【図７】
2011191022.tif 000009
【図８】
2011191022.tif 000010